(57)【特許請求の範囲】
【請求項１】
上部に天幕屋根を有する外周開放形の野外テントにおいて、天幕の垂直壁状側面が、直角三角形状の２枚のシートをその垂直辺が互いに接するようにして対称形に配置して構成され、かつそれぞれのシートの斜辺端縁が天幕屋根に固着され、またいずれか一方のシートの垂直辺端縁に１又は複数のシート片を突設し、該シート片が１又は複数の面ファスナー小片等よりなる中程度の固定力を発現する係止手段により他方のシートの垂直辺端縁に係止されてなり、突風又は強風を受けると前記突設シート片が自動的に剥離して天幕が吹き飛ばされないようになしたことを特徴とする野外テント。
【請求項２】
上部に天幕屋根を有する外周開放形の野外テントにおいて、天頂部付近の天幕屋根に、１つの穴からなる通風口又は複数の穴を隣接配置されてなる通風口を１又は複数個配設し、かつ前記通風口ごとに、その外面部に１枚のシート状の蓋を、その上端縁をテントの天頂部の梁に掛かる部分で天幕に縫着、糊着け等して固着し、同蓋の他の端縁は複数の面ファスナーの小片等よりなる中程度の固定力を発現する係止手段により通風口に隣接する天幕端縁部に係止してなり、突風又は強風を受けると前記蓋が自動的に開口し、天幕が吹き飛ばされないようにしてなり、
かつ、天幕の垂直壁状側面が、直角三角形状の２枚のシートをその垂直辺が互いに接するようにして対称形に配置して構成され、かつそれぞれのシートの斜辺端縁が天幕屋根に固着され、またいずれか一方のシートの垂直辺端縁に１又は複数のシート片を突設し、該シート片が１又は複数の面ファスナー小片等よりなる中程度の固定力を発現する係止手段により他方のシートの垂直辺端縁に係止されてなり、突風又は強風を受けると前記突設シート片が自動的に剥離して天幕が吹き飛ばされないようになしたことを特徴とする野外テント。
【請求項３】
隣接配置された穴と穴の間に残された天幕屋根の部分が、天幕屋根の強度を保持し得る形状、本数及び幅を持ち、かつ前記通風口の総面積が、突風又は強風を受けたときに前記蓋が開口し得る大きさを有することを特徴とする請求項２に記載の野外テント。
【請求項４】
シート状の蓋が、防水処理されてなるものであることを特徴とする請求項２又は３に記載の野外テント。
【請求項５】
シート状の蓋の左右端縁部が、通風口の左右端縁に折りひだによって伸縮自在に構成された防水シートを介して固着され、前記蓋の開口時に通風口の左右端からのテント内への雨水の流入を防止できるようになしたことを特徴とする請求項２〜４のいずれか１項に記載の野外テント。
【請求項６】
シート状の蓋が、天幕と同様の帆布製のものであることを特徴とする請求項２〜５のいずれか１項に記載の野外テント。
【請求項７】
蓋の係止手段が、通風口に隣接する天幕端縁部に一部をフリーに残して係止されてなるものであることを特徴とする請求項２〜６のいずれか１項に記載の野外テント。
【請求項８】
天幕屋根に設けた蓋が、その下部両端をゴムひもを介して係止されてなることを特徴とする請求項２〜７のいずれか１項に記載の野外テント。
【請求項９】
天幕屋根に設けた蓋が、その下部両端又は通風口の下部両隅付近の天幕に固着された紐、または金属あるいはプラスチック等のリングと、通風口の下部両端付近の天幕又は前記蓋の下部両端部の２点にその両端が固着されたゴムひもを介して係止されてなることを特徴とする請求項２〜８のいずれか１項に記載の野外テント。
【発明の詳細な説明】
【０００１】
【発明の属する技術分野】
上部に天幕屋根を有する外周開放形の野外テントにおいて、突風や強風時に天幕が吹き飛ばされないようにする通風構造に関する。
【０００２】
【従来の技術】
上部に天幕屋根を有する外周開放形の野外テントでは、テント使用中に突風や強風が吹き込むとテントが吹き飛ばされたり、浮き上がったりすることがあり、時には人に危害を与える虞さえある。したがって、テントに突風や強風が吹き込んだ時の通風構造については、これまでにもいくつかの発明や考案がなされている。そのいずれもが天幕の一部に複数の通風口を設けるとともにその通風口からの雨水の浸入を防ぐための蓋を備えたものであるが、その構造、機能によって２つのタイプが見られる。
【０００３】
その１つは、特開平１０−３７５３４「テント」や特開平６−６６０５３「風孔を設けたテント」、あるいは実用新案登録第３０１９７３７号「含み風の逃がし口を設けたシート及びテント」に見られるように、風圧によって前記蓋を持ち上げるもので、常時は蓋の重さで天幕に接合している構造のものである。
しかしこのタイプのテントは、天幕を折り畳んで収納する際、蓋の端縁一部めくり上がって天幕から離れ、折り畳み作業がしにくくなる場合がある。したがって前記発明の一部には蓋の下端を紐によって天幕に係止したものも見られるが、紐の長さによっては蓋の開口が制限される難点がある。
【０００４】
もう１つは、特開平６−４５００２「テント」に見られるように、晴天時には蓋を開放しておき、雨天時には蓋を閉じて使用するタイプのものである。蓋の解放時、及び閉鎖時に蓋を天幕に係止する機構が備わっているので、天幕の収納時に蓋が天幕から離れて作業がしにくくなるという虞はないが、雨天使用時に突風又は強風が吹き込むと、風抜き機構としての通風口の役割が果たせないという問題点がある。
【０００５】
【発明が解決しようとしている課題】
上記従来の技術に鑑み、常時は天幕に設けた通風口が、その外面部を覆う蓋と天幕とが面ファスナー等で中程度の固定力で係止されて塞がれ、突風又は強風がテント内に吹き込んだときその風圧によってこの係止が自動的に解除され通風口が開き、かつ、天幕の垂直壁状側面が、直角三角形状の２枚のシートをその垂直辺が互いに接するようにして対称形に配置され、いずれか一方のシートの垂直辺端縁に１又は複数のシート片が突設されてなり、該シート片が係止手段により他方のシートの垂直辺端縁に係止され、突風又は強風を受けると前記突設シート片が自動的に剥離することにより、突風又は強風でも天幕が吹き飛ばされない野外テントを提供する。
【０００６】
【課題を解決するための手段】
本発明者は、次の手段により上記課題を解決した。
（１）上部に天幕屋根を有する外周開放形の野外テントにおいて、天幕の垂直壁状側面が、直角三角形状の２枚のシートをその垂直辺が互いに接するようにして対称形に配置して構成され、かつそれぞれのシートの斜辺端縁が天幕屋根に固着され、またいずれか一方のシートの垂直辺端縁に１又は複数のシート片を突設し、該シート片が１又は複数の面ファスナー小片等よりなる中程度の固定力を発現する係止手段により他方のシートの垂直辺端縁に係止されてなり、突風又は強風を受けると前記突設シート片が自動的に剥離して天幕が吹き飛ばされないようになしたことを特徴とする野外テント。
（２）上部に天幕屋根を有する外周開放形の野外テントにおいて、天頂部付近の天幕屋根に、１つの穴からなる通風口又は複数の穴を隣接配置されてなる通風口を１又は複数個配設し、かつ前記通風口ごとに、その外面部に１枚のシート状の蓋を、その上端縁をテントの天頂部の梁に掛かる部分で天幕に縫着、糊着け等して固着し、同蓋の他の端縁は複数の面ファスナーの小片等よりなる中程度の固定力を発現する係止手段により通風口に隣接する天幕端縁部に係止してなり、突風又は強風を受けると前記蓋が自動的に開口し、天幕が吹き飛ばされないようにしてなり、
かつ、天幕の垂直壁状側面が、直角三角形状の２枚のシートをその垂直辺が互いに接するようにして対称形に配置して構成され、かつそれぞれのシートの斜辺端縁が天幕屋根に固着され、またいずれか一方のシートの垂直辺端縁に１又は複数のシート片を突設し、該シート片が１又は複数の面ファスナー小片等よりなる中程度の固定力を発現する係止手段により他方のシートの垂直辺端縁に係止されてなり、突風又は強風を受けると前記突設シート片が自動的に剥離して天幕が吹き飛ばされないようになしたことを特徴とする野外テント。
（３）隣接配置された穴と穴の間に残された天幕屋根の部分が、天幕屋根の強度を保持し得る形状、本数及び幅を持ち、かつ前記通風口の総面積が、突風又は強風を受けたときに前記蓋が開口し得る大きさを有することを特徴とする前記（２）に記載の野外テント。
【０００７】
（４）シート状の蓋が、防水処理されてなるものであることを特徴とする前記（２）又は（３）に記載の野外テント。
【０００８】
（５）シート状の蓋の左右端縁部が、通風口の左右端縁に折りひだによって伸縮自在に構成された防水シートを介して固着され、前記蓋の開口時に通風口の左右端からのテント内への雨水の流入を防止できるようになしたことを特徴とする前記（２）〜（４）のいずれか１項に記載の野外テント。
【０００９】
（６）シート状の蓋が、天幕と同様の帆布製のものであることを特徴とする前記（２）〜（５）のいずれか１項に記載の野外テント。
【００１０】
（７）蓋の係止手段が、通風口に隣接する天幕端縁部に一部をフリーに残して係止されてなるものであることを特徴とする前記（２）〜（６）のいずれか１項に記載の野外テント。
（８）天幕屋根に設けた蓋が、その下部両端をゴムひもを介して係止されてなることを特徴とする前記（２）〜（７）のいずれか１項に記載の野外テント。
（９）天幕屋根に設けた蓋が、その下部両端又は通風口の下部両隅付近の天幕に固着された紐、または金属あるいはプラスチック等のリングと、通風口の下部両端付近の天幕又は前記蓋の下部両端部の２点にその両端が固着されたゴムひもを介して係止されてなることを特徴とする前記（２）〜（８）のいずれか１項に記載の野外テント。
【００１１】
【発明の実施の形態】
本発明の実施の形態を実施例の図によって説明する。
図１は本発明の第１の実施例の斜視図（ａ）及び側面図（ｂ）（ｃ）、図２は本発明の第２の実施例の斜視図、図３は図２に示す実施例の平面図、図４は本発明の第３の実施例の平面図、図５は本発明の第４の実施例の上面一部断面図（ａ）、（ｂ）図６は蓋の左右端縁が折りひだによって伸縮自在に構成されたプリーツ状の防水シートを介して天幕に固着された状態を示す図であり、図７は天幕と蓋の係止の実施例の構造断面図（ａ）（ｂ）である。
図において１は天幕、１ａは天幕の屋根、１ｂ’、１ｂ”は垂直壁状側面を構成する三角形状シート、２は通風口、２ａは通風口を構成する穴（２ａ１：長方形の穴、２ａ２：三角形または菱形の穴、２ａ３：円形の穴）、３は蓋、４は天幕と通風口蓋の固着部、５は面ファスナー小片、６は突設シート片、７は鳩目、８は紐又は棒状体、８ａはストッパー、９はゴムひも、１０はプリーツ状の防水シートを示す。
【００１２】
（実施例１）
図１（ａ）の第１の実施例は、図１（ｂ）に示すように、天幕左右の垂直壁状側面１ｂが直角三角形状の２枚のシート１ｂ’、１ｂ”をその垂直辺が互いに接するようにして対称形に配置して構成され、かつそれぞれのシート１ｂ’、１ｂ”の斜辺端縁が天幕屋根１ａに固着され、また一方のシート１ｂ’の垂直辺端縁に１枚のシート片６を突設し、該シート片６が複数の面ファスナー小片５により他方のシート１ｂ”の垂直辺端縁に中程度の固定力で係止されており、突風又は強風を受けると天幕側面が開放されて通風口となり天幕が吹き飛ばされるのを防止する。
なお、図１（ｂ）では、垂直壁状側面１ｂを構成する２枚の直角三角形状シートの一方１ｂ’を、その垂直辺端縁に１枚のシート片６を突設させ、そのシート片６を複数の面ファスナーの小片５により他の直角三角形状のシート１ｂ”に係止しているが、図１（ｃ）に示すように、直角三角形状のシート１ｂ’の垂直辺端縁に複数のシート片６を突設させ、その複数のシート片６それぞれを１個の面ファスナー５により他方の直角三角形状のシート１ｂ”の垂直辺端縁に係止するものであってもよい。
【００１３】
（実施例２）
図２の実施例は、天幕１の屋根１ａの天頂部付近に、図３に示す複数の長方形状の穴２ａ1を碁盤目状に隣接して配設した通風口２と、該通風口２の外面部を覆う長方形の１枚のシート状蓋３とを設け、さらに天幕の左右の垂直壁状側面１ｂを実施例１で示した直角三角形状の２枚のシート１ｂ’、１ｂ”によって構成したものである。
天幕の屋根１ａの天頂部付近の複数の長方形の穴２ａ1からなる通風口２を覆う長方形状の蓋３は、図３に示すように、その上端縁がテントの天頂部の梁に掛かる部分で天幕に縫着、糊付け等で固着されており（固着部４）、また他の３つの端縁は、天幕１ａと蓋３との相重なる部分の複数箇所に固着された面ファスナーの小片５によって中程度の固定力によって天幕屋根に係止されている。
上下、左右に隣接する複数の穴２ａ1の間に残された格子状の天幕屋根の部分の幅及び本数は、天幕の強度を維持できる程度でよく、通風口の通風面積を可能な限り大きくとることが望ましい。また長方形の穴２ａ1がすべて同一形状である必要はなく、テント内に突風又は強風が吹き込んだ際に前記面ファスナー小片５の係止を早期に解除できるよう、天幕屋根１ａに配設する穴２ａの面積を上方より下方の方を大きくするなど通風効果を高める形状を採ることも好ましい。
なお、ここで中程度の固定力というのは、テント内に吹き込む突風又は強風によって前記面ファスナー小片５による固定が解除される程度の固定力をいう。
【００１４】
（実施例３）
図４に示す実施例では、天幕１の屋根１ａの天頂部付近に点線で示す１つの長方形状の穴で通風口２が形成され、該通風口２の外面部を覆う長方形状の１枚のシート状の蓋３が設けられ、前記蓋３はその上端縁がテントの天頂部付近の天幕に縫着、糊付け等で固着されており（固着部４）、また他の３つの端縁は、天幕１ａと蓋３との相重なる部分の複数箇所に固着された面ファスナーの小片５によって中程度の固定力によって天幕屋根に係止されている。
【００１５】
（実施例４）
図５（ａ）に示す実施例は、実施例２に示した構成の天幕において、天幕１の屋根１ａの天頂部付近に配設され通風口２を形成する複数の穴２ａの形状を実施例１で示した長方形の穴２ａ1と形状を異にしたものである。
本実施例では、天幕１の屋根１ａの天頂部付近に、複数の三角形及び菱形の穴２ａ2を上下左右に隣接して配設して通風口２を構成し、該通風口２の外面部に前記穴２ａ2のすべてを覆う長方形の１枚のシート状の蓋３が設けられ、前記蓋３は、その上端縁がテントの天頂部の梁に掛かる部分で天幕屋根１ａに縫着、糊付け等で固着されており（固着部４）、また他の３つの端縁は、天幕屋根１ａと蓋３との相重なる部分の複数箇所に固着された面ファスナーの小片５によって中程度の固定力によって天幕屋根１ａに係止されている。
互いに隣接する複数の穴２ａ2の間に残された天幕屋根１ａの斜め格子状の部分の幅及び本数は、天幕１の強度を維持できる程度でよく、通風口２の面積を可能な限り大きくとることが望ましい。また三角形及び菱形の穴２ａ2がすべて同一面積である必要はなく、突風又は強風が吹き込んだ際に面ファスナー小片５の係止が迅速に解除できるよう、天幕屋根１ａに配設する穴２ａ2の面積を上方より下方の方を大きくするなど、通風効果を高める形状、寸法を採るのも好ましい。
なお、前記穴２ａの形状は、実施例２に示した長方形の穴２ａ1、及び図５（ａ）に示した三角形または菱形の穴２ａ2に限られるものではなく、図５（ｂ）に示す円形の穴２ａ3のほか、楕円形、多角形など天幕１の形状が維持でき、かつ通風口２の面積が可能な限り大きくなる形状であればよい。またこの場合もすべての穴が同一面積である必要もない。
【００１６】
上記の実施例２、３、４における通風口２と通風口２を覆う蓋３との面積比は、雨天時に突風又は強風によって前記蓋３が吹き上げられた場合の雨水の流入具合を考慮して定められるが、図６に示すように、シート状の蓋の左右端縁部を、折りひだによって伸縮自在に構成されたプリーツ状の防水シート１０を介して天幕の屋根１ａに固着し、前記蓋３の開口時に通風口２の左右端から雨水の流入を効果的に防止する手段を採ることも好ましい。
【００１７】
前記天幕１の屋根１ａと前記長方形状の蓋３及び天幕１の垂直壁状側面を構成する２枚の直角三角形状のシート１ｂ’と１ｂ”との係止手段が、面ファスナーのほか、磁石の吸着力によるものであってもよい。また、図７（ａ）に示すように天幕１と蓋３の相対する位置に設けた鳩目７に挿通し、両端にストッパー８ａを備え、かつ鳩目７との間の摩擦力の小さい、例えばビニール紐やプラスチックス製の棒状体８を、突風又は強風によって前記蓋３が通風口２から風圧を逃すのに必要な高さまで吹き上がる長さを持たせて取り付けたものであってもよい。
【００１８】
突風又は強風によって浮き上がった蓋３が、めくれ上がったまま通風口２が閉じない状況になるのを防止するため、図７（ｂ）に示すように前記蓋３の下部両端をゴムひも９を介して天幕に係止したり、その下部両端又は通風口の下部両隅付近の天幕に固着された紐、又は金属あるいはプラスチックス等のリングと、通風口の下部両隅付近の天幕又は前記蓋の下部両端部の２点にその両端が固着されたゴムひも９を介して係止したりするのも有効である。
【００１９】
【発明の効果】
本発明によって次のような効果が発揮される。
（１）天幕の垂直壁状側面が２枚の直角三角形状のシートで構成され、かつ両シートの相接する垂直辺が、一方のシートの突設したシート片に面ファスナー等中程度の固定力を発現する係止手段で係止されていることにより、テント内に突風又は強風が吹き込んだとき垂直壁面状側面が開放され、突風又は強風によるテントの倒壊や浮き上がりが防止でき、これに伴う人への危害の虞が減少する。
（２）さらに、天幕と通風口蓋が面ファスナー等で緩やかに係止されており、突風又は強風による風圧でこの面ファスナー等による係止が解除され、風圧が消滅すると通風口の蓋が自重又は蓋の下部両端に備えたゴムひもの弾性によって元に戻り、面ファスナー等により天幕と通風口を覆う蓋とが再度係止されるので、雨天時の突風又は強風にも対応できる。
（３）上記（１）、（２）の効果に加え、通風口の蓋の左右端縁が、折りひだによって伸縮自在に構成されてなる防水シートを介して天幕に固着されているので、通風口開口時に通風口左右端からの雨水の流入が防止できる。
（４）そして、さらに直角三角形のシートや、天幕と通風口を覆う蓋が面ファスナー等で係止されているので、テント使用後の折り畳み収納作業が円滑に行える。
（５）また、上記効果に加え、複数の穴と穴の間に残された天幕部分の張力が、天幕の形状を維持するので、通風口付近の天幕が垂れ下がるなどといった不都合が生ぜず、かつ通風口外面部に設けた蓋の天幕内への陥入も防止できる。
【図面の簡単な説明】
【図１】本発明の第１の実施例の斜視図（ａ）及び側面図（ｂ）（ｃ）
【図２】本発明の第２の実施例の斜視図
【図３】図２に示す実施例の平面図
【図４】本発明の第３の実施例の平面図
【図５】本発明の第４の実施例の上面一部断面図（ａ）、（ｂ）
【図６】蓋の左右端縁が折りひだによって伸縮自在に構成されたプリーツ状の防水シートを介して天幕に固着された状態を示す図
【図７】天幕と蓋の係止の実施例の構造断面図（ａ）（ｂ）
【符号の説明】
１：天幕
１ａ：天幕の屋根
１ｂ’、１ｂ”：垂直壁状側面を構成する三角形状シート
２：通風口
２ａ：天幕屋根の通風口を構成する穴
２ａ1：長方形の穴
２ａ2：三角形または菱形の穴
２ａ3：円形の穴
３：蓋
４：天幕と通風口蓋の固着部
５：面ファスナー小片
６：突設シート片
７：鳩目
８：紐又は棒状体
８ａ：ストッパー
９：ゴムひも
１０：プリーツ状の防水シート
【図１】
0003724473.tif 000002
【図２】
0003724473.tif 000003
【図３】
0003724473.tif 000004
【図４】
0003724473.tif 000005
【図５】
0003724473.tif 000006
【図６】
0003724473.tif 000007
【図７】
0003724473.tif 000008